(57)【要約】      （修正有）【課題】生き餌を必要とするカエル等の両生類の飼育の適した袋体入り弾性体付きカエルの餌を提供する。【解決手段】袋体１と、弾性体付きカエルの餌Ｃとからなり、袋体１の中に弾性体付きカエルの餌Ｃが封入する。袋体１は、透明フィルムとし、袋体１の中のカエルの餌４の状態を視認可とする。袋体１の上方１ｃには、切断予定線としてのカット線１ｂが形成されている。また、袋体１の一端１ｄには、袋体１を開封するための切欠部１ａが設けられている。そして、この切欠部１ａからカット線１ｂに切り込みを入れることによって袋体１がスムーズに開封され、内容物を取り出すことができる。使用に当たっては、弾性体２であるワイヤーの一方側２ａにカエルの餌４を付着させ、給餌者が弾性体２であるワイヤーの他方側２ｂの持ち手を手で持ってカエルに給餌する。【選択図】図１
0003169869.tif 000002
【実用新案登録請求の範囲】
【請求項１】
カエルの餌を付けた弾性体を、袋体内に収容する袋体入り弾性体付きカエルの餌であって、
前記弾性体の一方側に、前記カエルの餌を付着し、その他方側を持ち手とする構成とした袋体入り弾性体付きカエルの餌。
【請求項２】
請求項１に記載の袋体入り弾性体付きカエルの餌であって、
前記弾性体を、ワイヤー、テグス、糸のうちのいずれか一以上とした袋体入り弾性体付きカエルの餌。
【請求項３】
請求項１乃至請求項２のいずれか一に記載の袋体入り弾性体付きカエルの餌であって、
前記カエルの餌にカエル用サプリメント、カエル用医薬品、カエル用食欲増進剤、香料のうちいずれか一以上を添加する構成とした袋体入り弾性体付きカエルの餌。
【考案の詳細な説明】
【技術分野】
【０００１】
本考案は、カエル等の両生類用の袋体入り弾性体付きカエルの餌に関する。
【背景技術】
【０００２】
昨今のペットブームによって様々なペットの飼育が盛んであり、特に最近はその中でも、カエル等の両生類を飼育する人が増える傾向にある。例えば、身近なアマガエル・アカガエル・トノサマガエル・ツチガエルから、希少で高価なイルドクランウェルツノガエル等、様々な種類のカエルがペットとして飼われている。
【０００３】
カエルは、その性質上、生き餌を必要とする。一般的なカエルの餌としては、例えば、コオロギ・ハエ等であるが、これらの餌をカエルに供給するには、コオロギ・ハエ・芋虫・毛虫等をも飼育する場合にあっては餌も常時管理する必要があり、人的な負担が大きい。
【０００４】
また、カエルに給餌するためには、餌となる芋虫・毛虫等を採取したり、手で触ったりする必要があり、また、コオロギ・ハエ等の足や羽根を取ったり、ハサミで切る等という行為が必要となるが、これらの行為は女性や子供には向かない場合も多い。
【０００５】
さらに、一般的には飼育されているカエルは冬眠しないため、冬場においても少量ではあるが餌が必要となるが、冬場にあっては餌となる虫の調達が困難な場合がある。
【０００６】
そこで、これの問題点を解決すべく、様々なカエル等の両生類用の餌が提案されている。
【０００７】
例えば、特開２００７−２６７６６９「爬虫類・両生類の固形飼料」が挙げられる。この発明は、所定の飼料原料が、所定のゲル化剤及び残部の水分によって、爬虫類・両生類が摂餌でき、かつ爬虫類・両生類の重さで壊れない硬さに固形化されていることを特徴とする爬虫類・両生類が摂餌するのに適した固形飼料である。
【０００８】
【特許文献１】特開２００７−２６７６６９号公報
【考案の開示】
【考案が解決しようとする課題】
【０００９】
しかし、この文献に係る発明は、餌自体を動かすもの様なものではないため、生き餌しか口にしないというカエルの性質上、やはり問題がある。
【課題を解決するための手段】
【００１０】
本考案はかかる問題点に鑑み、カエルの注目を引くようにしてカエルの目の前で餌を動かすことによってカエルに十分な給餌ができるという、生き餌を必要とするカエルの性質を巧みに利用した袋体入り弾性体付きカエルの餌を提供する。
【００１１】
請求項１に記載の考案によれば、カエルの目の前で餌を動かすことによって、カエルにあたかも餌が生きているように錯覚させることによって、カエルに十分な給餌ができる。また、弾性体付きカエルの餌が袋体に封入されることによって、給餌者がカエルの餌に直接触れる必要がないため、衛生的である。さらに、冬場においても餌が調達でき、便利である。
【００１２】
請求項１は、カエルの餌を付けた弾性体を、袋体内に収容する袋体入り弾性体付きカエルの餌であって、
前記弾性体の一方側に、前記カエルの餌を付着し、その他方側を持ち手とする構成とした袋体入り弾性体付きカエルの餌である。
【００１３】
請求項２に記載の考案によれば、カエルに十分かつスムーズな給餌をすることができる。
【００１４】
請求項２は、請求項１に記載の袋体入り弾性体付きカエルの餌であって、
前記弾性体を、ワイヤー、テグス、糸のうちのいずれか一以上とした袋体入り弾性体付きカエルの餌である。
【００１５】
請求項３に記載の考案によれば、カエルの餌にカエル用サプリメント、カエル用医薬品、カエル用食欲増進剤、香料を添加することによってカエルの栄養状態や健康状態のさらなる良化を期待できる。
【００１６】
請求項３は、請求項１乃至請求項２のいずれか一に記載の袋体入り弾性体付きカエルの餌であって、
前記カエルの餌にカエル用サプリメント、カエル用医薬品、カエル用食欲増進剤、香料のうちいずれか一以上を添加する構成とした袋体入り弾性体付きカエルの餌である。
【考案の効果】
【００１７】
請求項１の考案は、カエルの餌を付けた弾性体を、袋体内に収容する袋体入り弾性体付きカエルの餌であって、弾性体の一方側に、カエルの餌を付着し、他方側を持ち手とする構成とした袋体入り弾性体付きカエルの餌である。
【００１８】
したがって、請求項１は、カエルの目の前で餌を動かすことによって、カエルにあたかも餌が生きているように錯覚させることによって、カエルに十分な給餌ができる。また、弾性体付きカエルの餌が袋体に封入されることによって、給餌者がカエルの餌に直接触れる必要がないため、衛生的であるという特徴がある。さらに、冬場においても餌が調達でき、便利である。
【００１９】
請求項２の考案は、請求項１に記載の袋体入り弾性体付きカエルの餌であって、
前記弾性体を、ワイヤー、テグス、糸のうちのいずれか一以上とした袋体入り弾性体付きカエルの餌である。
【００２０】
したがって、請求項２は、カエルに十分かつスムーズな給餌をすることができる。
【００２１】
請求項３の考案は、請求項１乃至請求項２のいずれか一に記載の袋体入り弾性体付きカエルの餌であって、カエルの餌にカエル用サプリメント、カエル用医薬品、カエル用食欲増進剤、香料のうちいずれか一以上を添加する構成とした袋体入り弾性体付きカエルの餌である。
【００２２】
したがって、請求項３は、カエルの餌にカエル用サプリメント、カエル用医薬品、カエル用食欲増進剤、香料を添加することによってカエルの栄養状態や健康状態のさらなる良化を期待できる特徴がある。
【図面の簡単な説明】
【００２３】
【図１】袋体に弾性体付きカエルの餌を入れた状態の図である。
【００２４】
【図２】弾性体であるワイヤーの一方側にカエルの餌を付着させた例の使用状態を表した図である。
【００２５】
【図３】弾性体であるワイヤーの一方側と弾性体である糸の一方側を連設し、糸の他方側にカエルの餌を付着させた例の使用状態を表した図である。
【００２６】
【図４】餌ケースから取り出したカエルの餌を、弾性体であるテグスの一方側に付着した状態を図示したものである。
【考案を実施するための最良の形態】
【００２７】
以下、本考案について説明する。
【００２８】
本考案の構成物品を大別すると、袋体１と、弾性体付きカエルの餌Ｃとからなり、袋体１の中に弾性体付きカエルの餌Ｃが封入されている。
【００２９】
袋体１は、一般的に、セロハン等の透明フィルムによりなる透明袋でなる。このように、袋体１が透明袋の場合は、袋体１の中のカエルの餌４の状態を視認することができる。
【００３０】
袋体１の上方１ｃには、切断予定線としてのカット線１ｂが形成されている。また、袋体１の一端１ｄには、袋体１を開封するための切欠部１ａが設けられている。そして、この切欠部１ａからカット線１ｂに切り込みを入れることによって袋体１がスムーズに開封され、内容物を取り出すことができる。
【００３１】
なお、図１のように、一つの袋体１に一つの弾性体付きカエルの餌Ｃが封入されている構成の他、一つの袋体１に複数の弾性体付きカエルの餌Ｃが封入されている構成も考えられる。
【００３２】
図２では、弾性体２であるワイヤーの一方側２ａにカエルの餌４を付着させ、給餌者が弾性体２であるワイヤーの他方側２ｂの持ち手２ｂ１を手Ｂで持ってカエルＡに給餌を行っている状態を図示している。
【００３３】
弾性体２であるワイヤーへのカエルの餌４の設置は、例えば、餌ケース５からカエルの餌４を取り出し、そして、そのカエルの餌４を適当な大きさに切って、そのカエルの餌４を弾性体２であるワイヤーに付着させることによって行う。図中５ａは、餌ケースのパッケージであり、５ｂは、餌ケースの蓋である。
【００３４】
弾性体２は、鉄等を素材とするワイヤー、釣糸で使用されるナイロン等のテグス、天然繊維等の糸の様々な材質の物が考えられるが、カエルの餌４が揺動するような素材であればどのような素材であってもよい。また、図４のように、テグスによれば、カエルの餌４とテグスとの間の摩擦係数が低くなることによって、テグスからカエルの餌４がスムーズに外れる。また、カエルＡにカエルの餌４が生きているように見せる必要上からも、弾性力があるナイロン製等のテグスが望ましい。図中６は、テグスが巻かれているボビンである。その他、例えば、合成樹脂等によれば、カエルの餌４がより大きく揺動する場合があるため、カエルＡに十分な給餌ができる。
【００３５】
図３では、弾性体２であるワイヤーの一方側２ａと弾性体２である糸３の一方側３ａを連設し、この糸３の他方側３ｂにカエルの餌４を付着させ、弾性体２であるワイヤーの他方側２ｂの持ち手２ｂ１を給餌者が手Ｂで持って給餌を行っている状態を図示している。また、糸３を上下させることによってカエルＡに十分な給餌ができる。
【００３６】
糸３へのカエルの餌４の設置は、例えば、５餌ケースからカエルの餌４を取り出し、そして、そのカエルの餌４を適当な大きさに切って、糸３にカエルの餌４を付着させる等によって行う。なお、餌４の付着に関しては、糸３から餌４が容易に外れれば、どのように付着されていてもよい。
【００３７】
糸３は、カエルＡが食い千切ることができるような素材等、様々な素材が考えられる。
本考案で使用するカエルの餌４としては、乾燥したミミズ・コオロギ・ハエ等が考えられる。なお、給餌時にカエルの餌４を水で湿らせると、カエルの餌４に生命感が増し、食欲を増進させる効果がある。なお、カエルの餌４は、生き餌であってもよい。
【００３８】
また、自然環境と異なる飼育環境では栄養が不足しがちとなるため、各種ビタミン・カルシウムを配合したカエル用サプリメント（栄養補助飼料）をカエルの餌４に添加すれば、栄養状態のさらなる良化を期待できる。ビタミンに関しては、例えば、骨の形成には欠かせないビタミンＤ、目の疾患を予防するビタミンＡ等が挙げられる。カエル用サプリメントのタイプとしては、餌にコーティングしやすい微粒状のものや、液体状のものが便利である。
【００３９】
また、カルシウム不足はカエルＡの体をむしばんでいくので、カルシウムも補給するのが望ましい。その際、カエルの餌４のリンの割合が高すぎると、カルシウムを摂らせても吸収を阻害される場合があるため、カルシウムとリンが適切な割合で配合されたものがよい。
【００４０】
さらに、カエルの餌４にカエル用医薬品を添加すれば、カエルＡの健康状態のさらなる良化を期待できる。
【００４１】
また、カエルの餌４に食欲増進剤や好む香料を添加すれば、カエルＡの食欲を増進して健康状態の一層の向上を図ることができる。
【００４２】
本明細書では、両生類の中でも、特にカエルＡについて説明したが、その他の両生類であるイモリ等にも使用できる場合もある。また、トカゲ，蛇，ヤモリ等の爬虫類にも使用できる場合もある。
【符号の説明】
【００４３】
１          袋体
１ａ        切欠部
１ｂ        カット線
１ｃ        上方
１ｄ        一端
２          弾性体
２ａ        一方側
２ｂ        他方側
２ｂ１      持ち手
３          糸
３ａ        一方側
３ｂ        他方側
４          餌
５          餌ケース
５ａ        餌ケースのパッケージ
５ｂ        蓋
６          ボビン
Ａ          カエル
Ｂ          手
Ｃ          弾性体付きカエルの餌
【図１】
0003169869.tif 000003
【図２】
0003169869.tif 000004
【図３】
0003169869.tif 000005
【図４】
0003169869.tif 000006